(57)【特許請求の範囲】
【請求項１】
一方から他方に延びる底部と、前記底部の長手方向に沿った両縁部から上方に延び、対向する内面に、前記底部との間の高さが一方から他方に向って異なるように設定されたガイド溝がそれぞれ形成された一対の側壁部とで構成されたチューブ設置部と、
前記一対の側壁部に掛け渡され前記両ガイド溝に両端部が移動可能に支持された中心軸部と、前記中心軸部の軸方向の中心側に設けられ、前記中心軸部を中心として回転しながら前記両ガイド溝に沿って移動することにより前記チューブ設置部に設置され内部に液体が流れるチューブを前記底部に押圧して、前記チューブ内を流れる液体の流量を調整するローラ部とで構成された流量調整ローラとを備えたローラクランプにおいて、
前記チューブ設置部における前記流量調整ローラの移動範囲から前記底部の長手方向に沿って所定間隔を保った部分の幅および高さを前記チューブ設置部の他の部分の幅および高さよりも長くして、前記所定間隔を保った部分に、前記チューブを巻き付けるためのチューブ巻回用軸部を設け、さらに、
前記チューブ巻回用軸部の軸方向の中央に周面に沿って延びる突部を形成したことを特徴とするローラクランプ。
【請求項２】
前記チューブ巻回用軸部を軸周り方向に回転可能にした請求項１に記載のローラクランプ。
【請求項３】
前記チューブ巻回用軸部を回転方向における所定位置で固定できるようにした請求項２に記載のローラクランプ。
【請求項４】
前記チューブ巻回用軸部における前記チューブが巻き付けられる部分の断面形状を三角形または円形にした請求項１ないし３のうちのいずれか一つに記載のローラクランプ。
【発明の詳細な説明】
【技術分野】
【０００１】
本発明は、チューブ内を流れる医療用の液体の流量を調整するためのローラクランプに関する。
【背景技術】
【０００２】
従来から、患者に対して薬液や血液等の液体を、チューブを備えた輸液ラインまたは輸血ラインを用いて供給することが行われている。このような場合に、チューブ内を流れる液体の流量を適正量に調整するための流量調整器が用いられており、この流量調整器の中に、ローラを用いたローラクランプがある（例えば、特許文献１参照）。このローラクランプは、底板の両側に設けた一対の側壁の内面にそれぞれ案内溝を設け、この両案内溝に支軸を掛け渡した状態でローラが底板の長手方向に沿って移動可能になっている。
【０００３】
また、底板の表面と案内溝との間の高さを、底板の長手方向に沿った部分で変えるとともに、底板の上面に、平面状の溝と平面状の溝の両縁部に沿った突条部とを底板の長手方向に沿って設けている。そして、底板とローラとの間にチューブを設置した状態で、底板に対するローラの位置を変更することによりチューブ内を流れる液体の流量を調整できるようにしている。
【特許文献１】特開平６―１０９１４７号公報
【発明の開示】
【０００４】
しかしながら、前述した従来のローラクランプでは、液体が供給される患者が寝返りをうったり、チューブに物や人が接触したりして、チューブが突発的に引っ張られると、ローラの位置が変動してチューブ内を流れる液体の流量に変化が生じることがある。
【０００５】
本発明はこのような事情に鑑みなされたもので、その目的は、チューブ内を流れる液体の流量を設定量に保つことのできるローラクランプを提供することにある。
【０００６】
前述した目的を達成するため、本発明に係るローラクランプの構成上の特徴は、一方から他方に延びる底部と、底部の長手方向に沿った両縁部から上方に延び、対向する内面に、底部との間の高さが一方から他方に向って異なるように設定されたガイド溝がそれぞれ形成された一対の側壁部とで構成されたチューブ設置部と、一対の側壁部に掛け渡され両ガイド溝に両端部が移動可能に支持された中心軸部と、中心軸部の軸方向の中心側に設けられ、中心軸部を中心として回転しながら両ガイド溝に沿って移動することによりチューブ設置部に設置され内部に液体が流れるチューブを底部に押圧して、チューブ内を流れる液体の流量を調整するローラ部とで構成された流量調整ローラとを備えたローラクランプにおいて、チューブ設置部における流量調整ローラの移動範囲から底部の長手方向に沿って所定間隔を保った部分の幅および高さをチューブ設置部の他の部分の幅および高さよりも長くして、所定間隔を保った部分に、チューブを巻き付けるためのチューブ巻回用軸部を設け、さらに、チューブ巻回用軸部の軸方向の中央に周面に沿って延びる突部を形成したことにある。
【０００７】
前述したように構成した本発明に係るローラクランプでは、チューブ設置部の底部と両側壁部のガイド溝との間の高さ方向の長さが一方から他方に向って異なるようにして、チューブ設置部の底部に対する流量調整ローラの位置を変更することによって、チューブ内を流れる液体の流量を調整するようにしている。また、チューブをチューブ巻回用軸部に巻き付けることによって、チューブ設置部の底部と流量調整ローラとによって挟まれた状態のチューブや流量調整ローラに位置ずれが生じないようにしている。このため、チューブに設定された一定量の液体を安定した状態で流すことができる。
【０００８】
また、ローラクランプが取り付けられるチューブは、医療用の液体が収容される容器と液体が供給される患者との間に設置されるものであり、チューブ巻回用軸部を、チューブ設置部における流量調整ローラよりも患者に近い部分に位置させた状態で、ローラクランプはチューブに取り付けられる。これによると、チューブが患者に近い側から引っ張られたときに、まず、チューブ巻回用軸部のチューブが巻き付けられた部分によって、チューブを引っ張る力が吸収されるため、その引っ張る力がチューブにおけるチューブ設置部の底部と流量調整ローラとで挟まれた部分まで届き難くなる。このため、流量調整ローラやチューブに位置ずれが生じ難くなって、チューブ内の流量に変化が生じることを防止できる。
【０００９】
また、突発的に、チューブが引っ張られても、チューブにおけるチューブ巻回用軸部に巻き付けられた部分、またはチューブ設置部の底部と流量調整ローラとによって挟まれた部分が一時的に伸長して細くなるだけで、流量調整ローラやチューブの位置に変動は生じ難くなる。すなわち、チューブにおけるチューブ巻回用軸部に巻き付けられた部分がローラクランプの外側に向って引っ張られたときには、チューブにおけるチューブ巻回用軸部に巻き付けられた部分が細くなって、チューブ内を流れる液体の流量が減少するが、チューブを引っ張る力から解放されたときに、チューブは元の状態に復元して、内部を流れる液体の流量は設定された流量に戻る。この場合、チューブにおける底部と流量調整ローラとによって挟まれた部分には影響は生じない。
【００１０】
このように、ローラクランプを構成したため、チューブによほど大きな力が加わらない限り、チューブ内を流れる液体の流量は設定した流量に維持される。すなわち、チューブは、チューブ設置部の底部と流量調整ローラとの間およびチューブ巻回用軸部の周面にそれぞれ係合した状態になっているため、チューブ設置部の底部と流量調整ローラとの間に係合した部分と、チューブ巻回用軸部の周面に係合した部分との双方に位置ずれが生じない限りチューブ内を流れる液体の流量に変動は生じなくなる。また、本発明におけるチューブ巻回用軸部は、両側壁部に掛け渡してもよいし、チューブ設置部の底部から上方に向って延ばしてもよい。また、チューブ巻回用軸部はチューブ設置部に対して固定してもよいし、軸周り方向に回転可能な状態でチューブ設置部に取り付けてもよい。
【００１１】
また、本発明に係るローラクランプの他の構成上の特徴は、チューブ巻回用軸部を軸周り方向に回転可能にしたことにある。これによると、ローラクランプをチューブに沿って移動させる際の操作が容易になる。
【００１２】
また、本発明に係るローラクランプのさらに他の構成上の特徴は、チューブ巻回用軸部を回転方向における所定位置で固定できるようにしたことにある。これによると、チューブ巻回用軸部を回転方向における所定の位置に固定できるため、チューブ巻回用軸部が不用意に回転することがなくなり、チューブの位置ずれを防止できる。
【００１３】
また、本発明に係るローラクランプのさらに他の構成上の特徴は、チューブ巻回用軸部におけるチューブが巻き付けられる部分の断面形状を三角形または円形にしたことにある。チューブ巻回用軸部におけるチューブが巻き付けられる部分の断面形状は、四角形以上の多角形にすることもできるが、三角形や円形にすることが好ましい。チューブ巻回用軸部におけるチューブが巻き付けられる部分の断面形状を三角形にするとチューブ巻回用軸部とチューブとの間に生じる摩擦が大きくなりチューブに位置ずれを生じさせないより好ましいローラクランプを得ることができる。また、チューブ巻回用軸部におけるチューブが巻き付けられる部分の断面形状を円形にすると、チューブを巻き付け易くなり、チューブの巻き付けられた部分に変形が生じ難くなる。
【発明を実施するための最良の形態】
【００１４】
以下、本発明の一実施形態に係るローラクランプを図面を用いて詳しく説明する。図１ないし図３は、同実施形態に係るローラクランプＲＣを示しており、このローラクランプＲＣはチューブＴ内を流れる薬液等の液体の流量を調整するために用いられるものである。すなわち、ローラクランプＲＣは、略樋状に形成されたチューブ設置部１０に、チューブＴを押圧してチューブＴ内を流れる液体の流量を調整する流量調整ローラ２０と、チューブＴが巻き付けられることによりチューブＴがチューブ設置部１０内で位置ずれすることを防止するチューブ巻回用軸部３０とを設けて構成されている。
【００１５】
チューブ設置部１０は、細長い板状の底部１１の長手方向に沿った両縁部から側壁部１２，１３をそれぞれ立ち上げて略樋状に形成されている。底部１１は、基端側部分（ここでは、チューブＴ内を流れる液体の上流側に相当する部分を基端側とし、基端側は図１および図２の左側に該当する。）から中央側部分にかけての部分の幅が小さく、先端側部分（図１および図２の右側部分）の幅が大きく設定されており、基端側の幅狭部１１ａと先端側の幅広部１１ｂとの間に、幅狭部１１ａから幅広部１１ｂにかけて徐々に幅が広くなったテーパ部１１ｃが形成されている。
【００１６】
また、図４に示したように、幅狭部１１ａは、基端側から先端側にかけて徐々に高さが高くなる傾斜面に形成され、幅広部１１ｂは、幅狭部１１ａよりも高さの低い位置に位置する水平面に形成されている。そして、テーパ部１１ｃは、幅狭部１１ａの先端側端部と幅広部１１ｂの基端側端部とを結ぶ急な傾斜面に形成されている。また、幅狭部１１ａの上面における幅方向の中央には、幅狭部１１ａの傾斜に沿って基端側から先端側に行くほど高さが高くなったチューブＴ押圧用の溝部１１ｄが形成されている。
【００１７】
側壁部１２，１３は、底部１１を挟んで対称に形成されており、ともに上端縁部が同一面上に位置するように真っ直ぐに形成されている。そして、側壁部１２，１３は、底部１１の幅狭部１１ａに対応する基端側から中央部にかけての部分の高さ方向の長さが短く、底部１１の幅広部１１ｂに対応する先端側部分の高さ方向の長さが長く設定されている。また、側壁部１２，１３における底部１１のテーパ部１１ｃに対応する部分は、基端側から先端側に向って互いの間隔を広げるようにして配置され、その下端縁部は、テーパ部１１ｃの傾斜に沿った傾斜部に形成されている。
【００１８】
すなわち、このチューブ設置部１０は、基端部から中央部にかけての部分が、幅および高さ方向の長さがともに小さく設定された細長い略樋状に形成され、先端側部分が幅および高さ方向の長さがともに大きく設定され底部が下方に突出した長さの短い樋状に形成されている。そして、側壁部１２，１３の対向する内面には、図４および図５に示したようにガイド溝１４，１５が形成されている。ガイド溝１４は、図４に示したように、側壁部１２の上端縁部から所定距離を保って、側壁部１２の上端縁部に沿うようにして側壁部１２の基端部から先端部に向かって延びている。また、ガイド溝１４の基端部近傍は、外部側に行くほど上下方向の幅がやや大きくなるように形成されている。
【００１９】
このように、底部１１は基端部から先端側に向って徐々に高さが高くなる傾斜面に形成され、ガイド溝１４は水平に形成されているため、ガイド溝１４と底部１１の上面との間の長さは、基端部側ほど大きく、先端部側に近くにしたがって徐々に小さくなる。なお、図示していないが、側壁部１３に形成されたガイド溝１５は、ガイド溝１４と対向する位置に、ガイド溝１４と対称の形状に形成されている。また、側壁部１２の先端側部分を構成する幅広面１２ａの略中央には、チューブ巻回用軸部３０の一方に設けられた支軸３２を支持する支持穴１６が形成され、側壁部１３の先端側部分を構成する幅広面１３ａの略中央には、チューブ巻回用軸部３０の他方に設けられた回転止部３３を取り付けるための穴部１７が形成されている。
【００２０】
そして、幅広面１３ａの表面における穴部１７の周囲には、複数の係合凹部１７ａが間隔を保って形成されている。また、幅広面１２ａの上端縁部における支持穴１６の上方に位置する部分には、側壁部１３側に向って突出する表面が曲面状の抜け止め突起１２ｂが形成され、幅広面１３ａの上端縁部における穴部１７の上方に位置する部分には、側壁部１２側に向って突出する表面が曲面状の抜け止め突起１３ｂが形成されている。
【００２１】
そして、チューブ設置部１０の先端部には、チューブＴを通過させるための凹部１８ａが形成された仕切り部１８が設けられている。この仕切り部１８の凹部１８ａの上端部は開放されて外部に通じている。そして、仕切り部１８の上端中央における開放された部分に突起１８ｂ，１８ｃが互いに近づくように対向して延びている。この突起１８ｂ，１８ｃ間の隙間の長さは、チューブＴの直径よりもやや小さく設定されており、チューブＴを径方向に押し潰すことにより、突起１８ｂ，１８ｃ間の隙間を通過させることができる。
【００２２】
流量調整ローラ２０は、厚みが側壁部１２，１３間の間隔よりもやや小さな円板状のローラ部２１と、ローラ部２１の中心軸に沿ってローラ部２１の両側に突出する中心軸部２２とで構成されている。そして、ローラ部２１の周面には、軸方向に延びる滑り止め用の突条２３が円周方向に沿って複数形成されている。また、中心軸部２２の直径は、ガイド溝１４，１５の上下方向の幅よりも小さく設定されている。したがって、流量調整ローラ２０は、チューブ設置部１０内で多少の幅で上下移動可能な状態でチューブ設置部１０の基端部と先端部側部分との間を移動することができる。また、説明の便宜上、図５には、チューブＴを示していないが、チューブＴをローラクランプＲＣに取り付けた場合には、チューブＴはローラ部２１と溝部１１ｄとの間に形成される隙間に位置するようになる。
【００２３】
チューブ巻回用軸部３０は、軸本体３１の一方の端部に支軸３２を設けるとともに、他方の端部に回転止部３３を設けて構成されている。軸本体３１は、各辺が外部側に向って膨らんだ略三角形に断面が形成された棒状の軸で構成されている。そして、軸本体３１の軸方向における中央部には、軸本体の周面に沿って延びる略リング状の突部３４が形成されている。また、支軸３２は、側壁部１２の支持穴１６に回転可能な状態で支持されている。回転止部３３は、支軸３２と直径が略等しい軸部３３ａの先端部の外周に、一定間隔を保って３個の係合突起３３ｂを設けて構成されている。
【００２４】
各係合突起３３ｂは、側壁部１３の穴部１７よりも外部側に位置しており、穴部１７の周囲に形成された複数の係合凹部１７ａにそれぞれ係合可能になっている。したがって、チューブ巻回用軸部３０は、側壁部１３側から支軸３２を穴部１７内に入れ、各係合突起３３ｂを、それぞれ係合凹部１７ａに係合させることにより、チューブ設置部１０に取り付けることができる。また、各係合突起３３ｂと各係合凹部１７ａとの係合部分を変更して係合させることもできる。なお、このチューブ巻回用軸部３０の軸本体３１にチューブＴを一回巻いたときに、二重になったチューブＴの両縁部は、抜け止め突起１２ｂ，１３ｂによってチューブ設置部１０内から抜け止めされる。また、その際、二重になったチューブＴは、突部３４によって軸本体３１の両側にガイドされる。
【００２５】
このように構成されたローラクランプＲＣの軸本体３１には、製造の段階で、チューブＴの所定部分が巻き付けられる。そして、チューブＴにおける軸本体３１に巻き付けられた部分は、突部３４を挟んで軸本体３１の両側に位置した状態で、軸本体３１の周面に対して弛むことなく巻き付けられる。そして、ローラクランプＲＣを使用する場合には、チューブＴの上流端を、薬液が収容された容器に接続し、チューブＴの下流端を患者の体に穿刺して留置する留置針等の穿刺部材に接続する。
【００２６】
つぎに、容器からチューブＴ内に薬液を流し、チューブＴ内の空気を外部に放出させたのちに、流量調整ローラ２０をチューブ設置部１０の先端部側に位置させて薬液の流れを停止させる。その状態で、患者の体における所定の部位に穿刺部材を穿刺して、流量調整ローラ２０をチューブ設置部１０の基端部側に徐々に移動させて、チューブＴ内を流れる薬液の流量が適正量になるようにする。そして、チューブＴにおける軸本体３１に巻き付いた部分が引っ張られもせず、緩みもしない状態になるようにチューブＴにおける流量調整ローラ２０とチューブ巻回用軸部３０との間の部分の引っ張り具合を調整する。
【００２７】
この場合、必要に応じて、チューブ巻回用軸部３０を少しだけ外部側に引っ張って各係合突起３３ｂと各係合凹部１７ａとの係合を解除させた状態でチューブ巻回用軸部３０を回転することができる。これによって、容器から患者の体内に、設定された一定流量の薬液が供給される。この患者への薬液の供給の際、患者が不用意に移動してチューブＴが引っ張られる等しても、チューブＴを引っ張る力がチューブ巻回用軸部３０の部分で止まり、流量調整ローラ２０には届かなくなる。
【００２８】
このため、一時的に、薬液の流量が減少するだけで、チューブＴを引っ張る力がなくなると、薬液の流量は元の流量に戻る。また、チューブＴ内を流れる薬液の流量を変更する場合には、流量調整ローラ２０を、流量が変更しようとする流量になる位置に移動させる。そして、チューブＴの引っ張り具合を調整して、チューブＴが引っ張られても流量調整ローラ２０が容易に移動しないようにする。
【００２９】
以上のように、本実施形態に係るローラクランプＲＣでは、チューブ設置部１０に対する流量調整ローラ２０の位置を変更することによって、チューブＴ内を流れる薬液の流量を調整できるとともに、チューブＴをチューブ巻回用軸部３０の軸本体３１に巻き付けることによって、チューブＴにおけるチューブ設置部１０の底部１１と流量調整ローラ２０とによって挟まれた部分や流量調整ローラ２０に位置ずれが生じないようにしている。このため、チューブＴに設定量の薬液を安定して流すことができる。
【００３０】
また、突発的に、チューブＴが引っ張られても、チューブＴにおけるチューブ巻回用軸部３０に巻き付けられた部分が一時的に伸長して細くなるだけで、流量調整ローラ２０やチューブＴの位置に変動は生じ難くなる。さらに、ローラクランプＲＣでは、チューブ巻回用軸部３０を回転可能にするとともに、各係合突起３３ｂと各係合凹部１７ａとを係合させることにより所定位置で固定できるようにしている。このため、チューブＴに沿ってローラクランプＲＣを移動させる際の操作が容易になる。
【００３１】
また、チューブＴが巻き付いたチューブ巻回用軸部３０は、その位置に固定できるため、チューブ巻回用軸部３０が不用意に回転することがなくなる。さらに、軸本体３１の断面形状を略三角形にしたため、チューブ巻回用軸部３０とチューブＴとの間に生じる摩擦が大きくなりチューブＴに位置ずれが生じなくなる。また、チューブ巻回用軸部３０が、チューブ設置部１０における流量調整ローラ２０よりも患者に近い部分に設けられているため、さらに流量調整ローラ２０やチューブＴに位置ずれが生じ難くなって、チューブＴ内の流量に変化が生じ難くなる。
【００３２】
また、本発明に係るローラクランプは、前述した実施形態に限定するものでなく、適宜変更して実施することができる。例えば、前述した実施形態では、チューブＴにおけるチューブ巻回用軸部３０側の端部を患者側に延ばし、チューブＴにおける流量調整ローラ２０の端部を薬液を収容する容器側に延ばしているが、この向きを逆方向にすることもできる。この場合もチューブＴがチューブ巻回用軸部３０に巻き付けられることによって、流量調整ローラ２０やチューブＴに位置ずれが生じ難くなる。
【００３３】
また、係合突起３３ｂと各係合凹部１７ａとを設けずに、チューブ巻回用軸部３０を回転可能にすることもできる。これによると、チューブＴが引っ張られたときに、チューブＴに大きな力が加わることが防止される。すなわち、チューブＴが引っ張られたときにチューブ巻回用軸部３０が回転するため、無理な力が掛かってチューブＴが大きく伸びることがなくなりチューブＴが破損することを防止できる。また、チューブＴを引っ張る力がなくなったときには、伸びたチューブＴが元の状態に戻るためチューブＴ内を流れる薬液の流量は設定した流量に戻る。
【００３４】
この場合も、チューブＴは、流量調整ローラ２０とチューブ巻回用軸部３０とに係合した状態になるため、流量調整ローラ２０に係合した部分と、チューブ巻回用軸部３０に係合した部分との双方に位置ずれが生じない限りチューブＴ内を流れる液体の流量に変動は生じなくなる。また、前述した実施形態では、チューブ巻回用軸部３０を、両側壁部１２，１３に掛け渡しているが、このチューブ巻回用軸部を、底部１１から上方に延びる軸体で構成してもよい。
【００３５】
この場合も、チューブ巻回用軸部は固定してもよいし、回転可能にしてもよい。さらに、前述した実施形態では、軸本体３１の断面形状を略三角形に形成しているが、この略三角形は三角形に含まれるものとする。また、軸本体３１の断面形状としては、三角形の他、円形や三角以上の多角形としてもよい。さらに、前述した実施形態では、液体を薬液としたが、この液体としては、患者に供給する医療用の液体であれば何でもよく、例えば、栄養剤や血液でもよい。また、このローラクランプは、前述した部分以外の部分の構成についても、本発明の技術的範囲で適宜変更することができる。
【図面の簡単な説明】
【００３６】
【図１】本発明の一実施形態に係るローラクランプを示した平面図である。
【図２】ローラクランプの正面図である。
【図３】ローラクランプの背面図である。
【図４】図１の４−４断面図である。
【図５】図２の５−５断面図である。
【符号の説明】
【００３７】
１０…チューブ設置部、１１…底部、１２，１３…側壁部、１４，１５…ガイド溝、２０…流量調整ローラ、２１…ローラ部、２２…中心軸部、３０…チューブ巻回用軸部、３１…軸本体、ＲＣ…ローラクランプ、Ｔ…チューブ。
【図１】
0004817893.tif 000002
【図２】
0004817893.tif 000003
【図３】
0004817893.tif 000004
【図４】
0004817893.tif 000005
【図５】
0004817893.tif 000006